(57)【要約】【課題】放出操作部のスムーズな操作を担保する。【解決手段】放出操作部２０は、スイッチ体２１のガイド筒３７内に、スライダ４０の二重筒部５２が摺動可能に嵌装され、常には圧縮コイルばね３３の弾力で手前に突出して待機し、カップを当て部材５０に当ててスライダ４０を押し込むと、マグネット４５に感応してリードスイッチ２８が入る。ガイド筒３７の先端寄りの外周面にはフランジ７０が周設される。当て部材５０の裏面には、フランジ７０の上方から左右両側を覆ってカバー７２が突設され、その突出端に、内向きのフランジ７３が奥側にラップして突設される。フランジ７０よりも前方に、水が降り懸かったり、跳ね返ることが防止されるのに加え、ガイド筒３７の上面外周に滴下した水分が先端に向けて伝おうとするのがフランジ７０で規制される。二重筒部５２と、ガイド筒３７の間の隙間Ｓに浸水するのが回避される。【選択図】　図４
2004011951.tif 000002
【特許請求の範囲】
【請求項１】
ディスペンサ本体の前面の上部には氷片の放出口が設けられるとともに、その下方には押し込み式の放出操作部が手前に向けて突設され、この放出操作部は、スイッチ機能を具備したスイッチ体の突出端側に形成されたガイド筒内に、カップの当て面を有するスライダが摺動可能に嵌装されて、常には付勢手段により手前側に突出付勢され、カップを前記当て面に当てつつ前記スライダを付勢力に抗して押し込むと、スイッチが入って放出用機構部が駆動する等により、前記放出口からカップ内に氷片が放出されるものにおいて、
前記スイッチ体のガイド筒における上面外周の突出端寄りの位置には、ガイド筒の上面外周に付着した水分が突出端に向けて伝うことを規制するフランジが周方向に沿って立ち上がり形成されていることを特徴とする氷ディスペンサ。
【請求項２】
前記スライダには、前記ガイド筒の上方を覆うカバーが、その先端を前記フランジよりも奥方に延出させて形成され、このカバーの延出端に、下側を向いたフランジが周方向に沿って形成されていることを特徴とする請求項１記載の氷ディスペンサ。
【発明の詳細な説明】
【０００１】
【発明の属する技術分野】
本発明は氷ディスペンサに関し、特に氷を放出するための放出操作部の構造の改良に関する。
【０００２】
【従来の技術】
氷ディスペンサの一例として、押し込み式の放出操作部を備えたものが知られている。これは、製氷ユニットと、これで製造された氷片を順次に貯留する貯氷庫とを収容したディスペンサ本体の前面に放出用のステージが設けられ、このステージの天井部に貯氷庫と連結された放出口が設けられるとともに、その下方に放出操作部が手前に向けて突設されている。
放出操作部はより具体的には、図６に示すように、リードスイッチ１を内部に具備したスイッチ体２がステージのエプロンパネル３を貫通して取り付けられ、先端側に形成されたガイド筒４内に、カップの当て面５を設けたスライダ６が摺動可能に嵌装されて、常には付勢ばね７で手前側に突出付勢されている。
そして、カップを当て面に当てつつスライダ６を押し込むと、スライダ６に設けられたマグネット８がリードスイッチ１の中央位置まで達して、その磁力に感応することでリードスイッチ１がオンし、放出口に装備された送出スクリュが駆動される等で、貯氷庫内の氷片が放出口からカップに向けて放出されるようになっている。
【０００３】
【発明が解決しようとする課題】
ところで上記した押し込み式の放出操作部は、放出口の下方に設けられる関係上、放出口からの水が滴下しやすい。一方、スライダ６は安定して押し込めるように、スイッチ体２のガイド筒４内にほぼ緊密に嵌装され、言い換えるとガイド筒４とスライダ６との間にごく狭い隙間Ｓが残る構造であるため、例えば、ガイド筒４の上面に滴下した水分が先端側に伝ったのち隙間Ｓ側に回り込んだりすると、狭いが故に却って隙間Ｓ内に留め置かれる。そして、その水分中の汚れ（スケール、油汚れ、埃等）や塵が隙間Ｓ内に溜まると、噛んでスライダ６の押し込み操作がスムーズにできなくなるおそれがあった。
本発明は上記のような事情に基づいて完成されたものであって、その目的は、押し込み式の放出操作部のスムーズな操作を担保するところにある。
【０００４】
【課題を解決するための手段】
上記の目的を達成するための手段として、請求項１の発明は、ディスペンサ本体の前面の上部には氷片の放出口が設けられるとともに、その下方には押し込み式の放出操作部が手前に向けて突設され、この放出操作部は、スイッチ機能を具備したスイッチ体の突出端側に形成されたガイド筒内に、カップの当て面を有するスライダが摺動可能に嵌装されて、常には付勢手段により手前側に突出付勢され、カップを前記当て面に当てつつ前記スライダを付勢力に抗して押し込むと、スイッチが入って放出用機構部が駆動する等により、前記放出口からカップ内に氷片が放出されるものにおいて、前記スイッチ体のガイド筒における上面外周の突出端寄りの位置には、ガイド筒の上面外周に付着した水分が突出端に向けて伝うことを規制するフランジが周方向に沿って立ち上がり形成されている構成としたところに特徴を有する。
請求項２の発明は、請求項１に記載のものにおいて、前記スライダには、前記ガイド筒の上方を覆うカバーが、その先端を前記フランジよりも奥方に延出させて形成され、このカバーの延出端に、下側を向いたフランジが周方向に沿って形成されているところに特徴を有する。
【０００５】
【発明の作用及び効果】
＜請求項１の発明＞
スイッチ体のガイド筒の上面外周に滴下した水分が、突出端に向けて伝おうとした場合に、フランジによってこれが規制され、したがってスライダとの間の隙間に回り込むことが防止される。その結果、水分中の汚れや塵が隙間内に溜まって噛んだり、隙間での氷結も無くなり、スライダのスムーズな押し込みが担保される。
＜請求項２の発明＞
ガイド筒の上方を覆うカバーを備えることに加え、カバーの延出端に、ガイド筒側のフランジの奥でラップするように下側を向いたフランジが設けられているから、ガイド筒の上面外周のフランジよりも前の部分に、水滴が直接に降り懸かったり、跳ね返った水分が付着することが規制され、スライダとの間の隙間に水分が回り込むことがより確実に防止される。
【０００６】
【発明の実施の形態】
以下、本発明の一実施形態を図１ないし図５に基づいて説明する。
図１及び図２において、符号１０は氷ディスペンサの本体であって、その内部の下部位置には、冷凍装置１１と接続されたオーガ式の製氷ユニット１２が設置されているとともに、その上方に貯氷庫１３が積み上げ接続されており、製氷ユニット１２により製造された氷片が、貯氷庫１３内に底部側から順次に貯留されるようになっている。貯氷庫１３の前面の底部には、放出口１４が先下がりの姿勢で突設されており、この放出口１４には、詳しくは図示しないが送出スクリュが装備されている。
【０００７】
ディスペンサ本体１０の前面の下部位置には、奥側に引っ込んだ形態でエプロンパネル１５が張られることにより、その前面に放出ステージ１６が形成されている。放出ステージ１６の天井には、上記した貯氷庫１３の放出口１４と接続されたシュータ１７が下向きに設置されている。
このシュータ１７の下方位置には、後記する放出操作部２０が設けられている。また、放出ステージ１６の底部には、簀の子が張られたドレンパン１８が配設されている。
【０００８】
続いて、放出操作部２０の構造を図３及び図４により説明する。
放出操作部２０は大まかには、エプロンパネル１５に固定されるスイッチ体２１と、このスイッチ体２１に対して摺動可能に嵌装されるスライダ４０とから構成されている。
スイッチ体２１は全体としては筒状に形成され、その長さ方向のほぼ中央部の外周に取付鍔２２が、その少し後方に雄ねじ部２３が切られている。このスイッチ体２１は、所定の回動姿勢においてエプロンパネル１５に開口された取付孔１５Ａに挿通され、取付鍔２２と、雄ねじ部２３に螺合されたナット２４との間で取付孔１５Ａの前後の口縁を挟持することにより、エプロンパネル１５を貫通して水平姿勢で取り付けられるようになっている。
スイッチ体２１の後面の開口には、前面の中心に小径のガイド柱２７を突設してなるスイッチケース２６が着脱可能に嵌着され、そのガイド柱２７内にはリードスイッチ２８がモールドにより埋設されているとともに、そのリード線２９がスイッチケース２６内を通ってその後面に引き出されている。
【０００９】
一方のスライダ４０はさらに、ノブ４１と、カップＣ（図５の鎖線参照）の当て部材５０とから構成されている。ノブ４１は、後面側を閉鎖した筒状に形成されており、上記したスイッチ体２１の内周面における取付鍔２２よりも少し前方位置に形成された内向きのガイド鍔３１内に緊密に嵌合可能となっている。
ノブ４１の後面には、二段階にわたって縮径された段付孔４２が形成され、中心の小径部分が、スイッチケース２６のガイド柱２７に嵌合するガイド孔４３になっているとともに、段付面４４には環形のマグネット４５が嵌着されて保持されている。
【００１０】
したがってノブ４１は、外周面を内向きのガイド鍔３１の内側に嵌合し、またガイド孔４３内にガイド柱２７を嵌合して、スイッチ体２１内で軸線方向に沿った摺動自由に装着されている。また、ノブ４１の後面とスイッチケース２６との間に装着された圧縮コイルばね３３の弾力によって、手前側（図４の左側）に突出する方向の移動力が付勢されており、ノブ４１の後端部の下面外周に突設された突部４７が、スイッチ体２１の内周面におけるガイド鍔３１の少し後方に形成されたストッパ３５に当たることで、移動が規制されている。
また、ノブ４１は圧縮コイルばね３３を弾縮しつつ押し込み可能であって、ガイド柱２７の先端がガイド孔４３の奥面に当たることで押し込みが規制され、このときマグネット４５が、リードスイッチ２８における長さ方向の中央部の外周に位置する設定となっている（図５参照）。
このノブ４１は、スイッチ体２１に予め組み付けられるようになっている。
【００１１】
当て部材５０は、方形状の浅皿を立てたような形状をなし、その表面には、緩やかな円弧状に凹んだ当て面５１が形成されている。当て部材５０の裏面には、二重筒部５２が形成されており、内外の筒５３，５４の間の環形空間５５には、ノブ４１の先端の開口端側が嵌合可能とされている。
また、外筒５４の外周は、スイッチ体２１の先端側に形成されたガイド筒３７内に摺動自由に嵌合されている。
ここで、外筒５４の外周の下面側には、図３に示すように、前後方向を向いた幅広の突条５７が一段高くなって形成され、この突条５７が、ガイド筒３７の下面に先端縁から切り込み形成された位置決め溝４８に嵌合されることで、回り止めされつつ摺動案内されるようになっている。
【００１２】
上記の突条５７の外面から内筒５３の下面さらには上面にわたって、ねじ６０の挿通孔６１が上向きに形成されているとともに、ノブ４１の上面における挿通孔６１の直上位置に、ねじ孔６２が切られている。また、ノブ４１の下面にも、ねじ６０の挿通孔６３が対応して形成されている。
当て部材５０をノブ４１に固定する場合は、上記のようにノブ４１が組み込まれた状態でスイッチ体２１がエプロンパネル１５に取り付けられたのち、突条５７を位置決め溝４８に合わせつつ、当て部材５０の二重筒部５２がノブ４１の開口端に挿入されて、二重筒部５２の挿通孔６１とノブ４１の挿通孔６３とが合わせられ、下面側から挿通孔６１，６３にねじ６０を通してその先端をねじ孔６２に螺合して締め付けることによって、ノブ４１の先端側に当て部材５０が一体的に固定されたスライダ４０が形成されるようになっている。
【００１３】
さて、スイッチ体２１のガイド筒３７における先端寄りの位置の外周面には、位置決め溝４８の形成位置を除く全周にわたって、所定高さのフランジ７０が形成されている。
一方、スライダ４０における当て部材５０の裏面からは、上記したフランジ７０の上方から左右両側を覆うようにして、逆Ｕ字形をなすカバー７２が突設されている。このカバー７２の突出端は、スライダ４０が押し込み前の待機状態にある場合に、ガイド筒３７のフランジ７０よりも所定寸法奥に突出すると設定なっている。
カバー７２の突出端の内面には、内向きのフランジ７３が突設されている。この内向きのフランジ７３の高さは、特に上面側では、スイッチ体２１に予め組み付けられたノブ４１に当て部材５０を後付けする場合に、スイッチ体２１側のフランジ７０と干渉することなく、かつその突出端にできるだけ接近する高さに設定されている。
【００１４】
続いて本実施形態の作用を説明する。氷片を取り出す場合は、図４に示す状態から、カップＣを当て部材５０に当てつつ、スライダ４０を圧縮コイルばね３３の弾力に抗してスイッチ体２１内に押し込む。所定位置まで押し込まれると、図５に示すように、スライダ４０に設けられたマグネット４５がリードスイッチ２８の中央部の位置まで達して、その磁力に感応することでリードスイッチ２８がオンし、これにより送出スクリュが駆動されて貯氷庫１３内の氷片が放出口１４内を送り出され、シュータ１７内を落下してカップＣに向けて放出される。
カップＣを手前に戻すと、圧縮コイルばね３３の復元弾力でスライダ４０が図４に示す元の位置に戻り、併せてリードスイッチ２８がオフとなって氷片の放出が停止され、再び待機状態となる。
【００１５】
このような待機状態にある場合において、氷片が融ける等でできた水が放出口１４からシュータ１７を流下し、さらに放出ステージ１６の天井面を伝ったのち、放出操作部２０に向けて滴下する可能性がある。そうすると例えば、スライダ４０の二重筒部５２の外周面と、ガイド筒３７の内周面との間である摺動部の隙間Ｓに浸水することがあり得る。
しかしながらこの実施形態では、ガイド筒３７の上面外周に滴下した水分が、先端に向けて伝おうとした場合に、フランジ７０によってこれが規制され、側面側に流下してドレンパン１８に向けて排出される。
また、フランジ７０よりも先の部分に水滴が直接に降り懸かろうとしても、カバー７２でこれが遮られるし、ガイド筒３７の上面外周の基端側に降り懸かった水滴が、フランジ７０よりも先の部分に跳ね返ろうとしても、ラップ状に配設された内向きのフランジ７３によってこれが遮られる。もって、スライダ４０の二重筒部５２の外周面と、ガイド筒３７の内周面との間の隙間Ｓに水分が浸入することが回避される。
【００１６】
以上のように本実施形態では、放出操作部２０におけるスライダ４０の摺動部の隙間Ｓに水分が浸入することが防止され、その結果、水分中の汚れ（スケール、油汚れ、埃等）や塵が隙間Ｓ内に溜まって噛んだり、また、回りが低温雰囲気に晒されても隙間Ｓで氷結することが無くなり、スライダ４０のスムーズかつ正確な押し込み操作が担保される。もって氷片の放出操作が確実に行われる。
また、摺動部の隙間Ｓを掃除する必要が無く、日頃の手入れも簡単となる。
【００１７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）ガイド筒に設けるフランジと、スライダに設けるカバーやフランジは、少なくとも上面側だけに設ければ、大半の水分の浸入を阻止することができ、そのようなものも本発明の技術的範囲に含まれる。
（２）放出口側からの水分の滴下位置等の条件によっては、スライダにカバーを設けることは除去してもよい。
【図面の簡単な説明】
【図１】本発明の一実施形態に係る氷ディスペンサの一部切欠正面図
【図２】その一部切欠側面図
【図３】放出操作部の分解斜視図
【図４】放出操作部が待機状態にある場合の縦断面図
【図５】その押し込み状態の縦断面図
【図６】従来例の縦断面図
【符号の説明】
１０…ディスペンサ本体　１４…放出口　１５…エプロンパネル　１６…放出ステージ　１７…シュータ　２０…放出操作部　２１…スイッチ体　２８…リードスイッチ　３３…圧縮コイルばね（付勢部材）　３７…ガイド筒　４０…スライダ　４１…ノブ　４５…マグネット　５０…当て部材　５１…当て面　５２…二重筒部　６０…ねじ　７０…フランジ　７２…カバー　７３…（内向きの）フランジ　Ｃ…カップ　Ｓ…隙間
【図１】
2004011951.tif 000003
【図２】
2004011951.tif 000004
【図３】
2004011951.tif 000005
【図４】
2004011951.tif 000006
【図５】
2004011951.tif 000007
【図６】
2004011951.tif 000008